(57)【特許請求の範囲】
【請求項１】
花器に潅水するための潅水装置であって、上部に水滴落下装置と下部には側方に水放出口を設けた水琴壺を有する水琴窟を備え、前記水放出口に取り付けられた水放出パイプから放出された水を受ける花器と、該花器から溢れ出た水を貯める貯水器と、この貯水器の水を前記水琴窟の水滴落下装置に循環させるための循環装置と、この循環装置から送出された水を運ぶための循環パイプとを備え、前記循環装置は、汲み上げポンプと、貯水器水位を検知する水位センサー、及び、該水位センサーで検知した水位信号に基づいて前記汲み上げポンプに水の汲み上げ指令を出す制御器からなることを特徴とする花器用潅水装置。
【発明の詳細な説明】
【技術分野】
【０００１】
本発明は、生花や切り花を生けるための花瓶等の花器に水を供給するための花器用潅水装置に関する。
【背景技術】
【０００２】
これまで、生花や切り花が生けられた花瓶等の花器の水は日数が立つと汚れたり、腐ったりするため水を入れ替えていた。（又は、生花や切り花の寿命は季節や生花の種類で変わるも一般的に１０日程度であった。）
この花器への水の交換は人の手で行う事が知られている。また、鉢植え用には、植木鉢用の潅水装置も知られている。（特許文献１参照）
一方、水を用いる装置として、本願発明者が出願した発明に可搬型水琴窟が知られている。（特許文献２参照）
【先行技術文献】
【特許文献】
【０００３】
【特許文献１】特開２０１０−２２２９６号公報
【特許文献２】特開２０１１−２２５２５号公報
【発明の概要】
【発明が解決しようとする課題】
【０００４】
本願発明者は、生花や切り花が生けられた花瓶等の花器の水を入れ替えることは大変不便であることを感じていた。又、前記可搬型水琴窟で用いる水は使い捨てであり、この水琴窟で用いた水を生花や切り花が生けられた花瓶等の花器の水として流用出来ないかを考えていた。
【課題を解決するための手段】
【０００５】      本願発明は請求項１として、花器に潅水するための潅水装置であって、上部に水滴落下装置と下部には側方に水放出口を設けた水琴壺を有する水琴窟を備え、前記水放出口に取り付けられた水放出パイプから放出された水を受ける花器と、該花器から溢れ出た水を貯める貯水器と、この貯水器の水を前記水琴窟の水滴落下装置に循環させるための循環装置と、この循環装置から送出された水を運ぶための循環パイプとを備え、前記循環装置は、汲み上げポンプと、貯水器水位を検知する水位センサー、及び、該水位センサーで検知した水位信号に基づいて前記汲み上げポンプに水の汲み上げ指令を出す制御器からなることを特徴とする花器用潅水装置である。
【発明の効果】
【０００６】
循環式水琴窟を花器に供用した事はなく、水琴窟から落下した水は水玉や波紋を発生させ、その水玉や波紋に光を照射すると大変美しく、今までの生花にない動的な美しさが加わった。又、今までの生花より、水琴窟と貯水器の水により、全体の水量が増加した事と、水が水滴となって空中に飛散する事及び全体の流水が起こる事により実験結果から生花が通常より１．５倍程長く使用可能となった。
【図面の簡単な説明】
【０００７】
【図１】図１は花器用潅水装置の斜視図を示す。
【図２】図２は貯水器の一部破断図を示す。
【図３】図３は可搬型水琴窟の概観及び一部破断図を示す。
【発明を実施するための形態】
【０００８】
図１の水琴窟の上部の水滴落下装置に水を入れ、下部水琴壺に水滴を落下させる。この時、美しい水琴の音が発生する。水滴落下装置の標準の大きさは高さ１５ｃｍ、胴まわり１２ｃｍ程の大きさで、適量の水滴を落下させる。又、下部の水琴壺は落下した水滴が響鳴するよう、適度の形状をしており、その標準の大きさは高さ４０ｃｍで、下部が鼓状をしておりその胴まわりは２０ｃｍ程である。落下した水は時間の経過と共に水位が上昇するので、その胴の側面に水位を決める穴が設けられている。その穴にパイプを設置し、外部の花器に排水されるようにする。花器が水盤の場合は落下した水面には波紋や、水玉が発生し光を照射すれば、美しく映える。花器の溢れた水は花器排水パイプや表面張力を用いて布や紙等を通して貯水器に集められ、水位センサー、ポンプを制御するコントロールボックス等により、循環パイプを通して、前期水琴壺上の水滴落下装置に水を循環して動作を得る様にした。以下、図に基づいて説明する。
【実施例】
【０００９】
本発明の実施例を説明すると図１は花器用潅水装置全体を表す図であり、水琴壺（１）は、水琴窟の本体であり、水滴落下装置（２）は、適度な水滴を作成する装置であり、本願発明者が既に出願した特開２０１１−２２５２５に開示した可搬型水琴窟を用いている。この可搬型水琴屈窟の発明は次の通りである。図３に基づいて説明する。
【００１０】
水琴壺（１）は花瓶状の壺であって、上部に開口を有し、下部は広い水室（２２）となっている。水室の高さ方向の中央部から上部の間の側方には音を発散させる貫通穴を形成し、その貫通穴よりも下方向の位置に水室（２２）内の水位を規制する貫通した穴を設ける。この水琴窟（１）の上部には案内座（２３）を介して水滴落下装置（２）が嵌合される。案内座（２３）の底は貫通した孔が設けられている。
【００１１】
水滴落下装置の底部には小径１ｃｍ程の貫通穴が形成され、その穴には水滴調整板（２４）が設置され、その下には小さな下部貯水槽（２５）が設置され、適度な水滴が形成されるよう、上記水滴調整板（２４）を調節する。下部貯水槽（２５）の下部には適度な水滴が形成されるよう穴が形成されている。水滴が水琴壺（１）の下面に落下し水面と衝突した時、水琴の音を発生する。
【００１２】
水放出パイプ（３）は、水琴壺の水位を決定する穴に適度な長さと、太さを用いて設定されたパイプであり、アルミ・真鍮・ビニルもしくは竹などのパイプ形状であり１０ｃｍ程の長さで太さが０．８ｃｍ程である。
【００１３】
花器（４）は、水盤であったり、一般の花器ならばどのような花器でも構わない。花器排水パイプ（５）は、上記水放出パイプより短く長さは５ｃｍ程である。花器の水面を決定する穴に、適度の長さと太さを用いて設定されたパイプであり、水面（６）は、水琴壺から花器排水された水の水面であり、水面の波紋（７）は、水琴壺から溢れた水の落下により生じた波紋であり、生花（８）は、花器に生けられた草花である。
【００１４】
貯水器（９）は、花器排水パイプから落下した水を集める貯水器であり、陶器で作成されている事が一般的である。横１５ｃｍ、縦１５ｃｍ、高さ２０ｃｍ程の大きさで中空になっている。中に汲み上げポンプと水位センサーが投入されて、花器から溢れた水を貯める。
【００１５】
汲み上げポンプ（１０）は、水滴落花装置へ水を戻すポンプであり、前記汲み上げポンプ同様本装置の重要なパーツである。循環パイプ（１１）は、水を通すパイプであり、ポンプコード（１２）は、汲み上げポンプ用の電気コードであり、水位センサー（１３）は、貯水器に貯水された水を一定の位置で、信号を発するセンサーであり、センサーコード（１４）は、センサーとコントロールボックスを接続するコードである。
【００１６】
コントロールボックス（１５）は、花器用潅水装置全体をコントロールする制御装置であり、家庭用電源１００Ｖに供用して使用するもので、汲み上げポンプの汲み上げ時間の長さを調節し、水琴屈の音の間欠運転を可能にしている。一般的な汲み上げ時間は１０秒ほどである。電源コード（１６）は、家庭用電源に接続するコードである。
【００１７】
水琴壺用台（１７）は、水琴壺を設置する台であり、花器用台（１８）は、花器を設置する台であり、ベース（１９）は、全体を乗せるベース板である。水琴壺水位（２０）は、水琴壺の水位であり、貯水器水位（２１）は、水位センサーでコントロールされた貯水器の水位である。
【００１８】
水室（２２）は、可搬型水琴窟の水室であり、案内座（２３）は、水滴落下装置（２）と水琴壺（１）を嵌合する構造物であり、水滴調整板（２４）は、水滴落下装置（２）に投入された水を適度な量に調整する調整板であり、下部貯水槽（２５）は、適度な水滴を作るための貯水槽である。
【産業上の利用可能性】
【００１９】
本発明の活用例として水琴窟と生花の合体により、利用範囲が大いに広がり、音と視覚により、多くの人に楽しんでもらえる様になった。
【００２０】
利用範囲は各種イベント会場、応接室、高級料理店、ホテルのロビー、お茶お花稽古場、病院、各種集会場、リビング等多くの場所に提供できる可能性がある。
【符号の説明】
【００２１】
１．  水琴壺
２．  水滴落下装置
３．  水放出パイプ
４．  花器
５．  花器排水パイプ
６．  水面
７．  水面の波紋
８．  生花
９．  貯水器
１０．汲み上げポンプ
１１．循環パイプ
１２．ポンプコード
１３．水位センサー
１４．センサーコード
１５．コントロールボックス
１６．電源コード
１７．水琴壺用台
１８．花器用台
１９．ベース
２０．水琴壺水位
２１．貯水器水位
２２．水室
２３．案内座
２４．水滴調整板
２５．下部貯水槽
【図１】
0005843320.tif 000002
【図２】
0005843320.tif 000003
【図３】
0005843320.tif 000004